(57)【要約】【課題】スキャンプランやプロトコルに対する変更や修正等の履歴を管理することが可能な画像診断装置、医用システムおよびプロトコル管理方法である。【解決手段】画像診断装置１Ａは、プロトコル変更履歴記録部１３、プロトコル変更情報検知部２３およびプロトコル変更情報表示部２４を有する。プロトコル変更履歴記録部１３は、プロトコルに関する複数の変更履歴をプロトコル変更履歴データとして記録する。プロトコル変更情報検知部２３は、プロトコル変更履歴データに基づいて指定されたプロトコルに関する変更をプロトコル変更情報として検知する。プロトコル変更情報表示部２４は、プロトコル変更情報を表示する。【選択図】  図４
2006231040.tif 000002
【特許請求の範囲】
【請求項１】
プロトコルに関する複数の変更履歴をプロトコル変更履歴データとして記録するプロトコル変更履歴記録部と、
前記プロトコル変更履歴データに基づいて指定されたプロトコルに関する変更をプロトコル変更情報として検知するプロトコル変更情報検知部と、
前記プロトコル変更情報を表示するプロトコル変更情報表示部と、
を有することを特徴とする画像診断装置。
【請求項２】
前記プロトコル変更情報検知部は、指定された期間に含まれるプロトコル変更履歴データから前記プロトコル変更情報を検知するように構成されることを特徴とする請求項１記載の画像診断装置。
【請求項３】
前記プロトコル変更情報検知部は、ユーザが前回ログインした時期以降のプロトコル変更履歴データから前記プロトコル変更情報を検知するように構成されることを特徴とする請求項１記載の画像診断装置。
【請求項４】
前記プロトコル変更情報検知部が、前記プロトコル変更情報を検知するための条件を指定する条件指定部を備えることを特徴とする請求項１記載の画像診断装置。
【請求項５】
前記プロトコル変更情報検知部は、前記プロトコル変更情報として使用されたプロトコル自体の変更を検知するように構成されることを特徴とする請求項１記載の画像診断装置。
【請求項６】
前記プロトコル変更履歴記録部は、前記プロトコルの少なくとも１つのパラメータの変更履歴を前記プロトコル変更履歴データに含めて記録するように構成される一方、
前記プロトコル変更情報検知部は、前記プロトコル変更情報として前記指定されたプロトコルに使用される特定のパラメータの変更を検知するように構成される、
ことを特徴とする請求項１記載の画像診断装置。
【請求項７】
前記プロトコル変更履歴記録部は、前記プロトコルに関する変更の日時および前記プロトコルを変更したユーザの識別情報の少なくとも一方を前記プロトコル変更履歴データに含めて記録するように構成される一方、
前記プロトコル変更情報検知部は、前記プロトコル変更情報として前記指定されたプロトコルの変更日時および前記指定されたプロトコルを変更したユーザの識別情報の少なくとも一方を検知するように構成される、
ことを特徴とする請求項１記載の画像診断装置。
【請求項８】
前記プロトコル変更履歴記録部は、前記プロトコルの変更のタイプを前記プロトコル変更履歴データに含めて記録するように構成される一方、
前記プロトコル変更情報検知部は、前記プロトコル変更情報として前記指定されたプロトコルの変更のタイプを検知するように構成される、
ことを特徴とする請求項１記載の画像診断装置。
【請求項９】
複数のプロトコルを保存するプロトコルデータ記憶部と、
プロトコルの選択情報に基づいて、選択されたプロトコルを前記プロトコルデータ記憶部から抽出するプロトコルパラメータ抽出部と、
前記プロトコルパラメータ抽出部により抽出された前記選択されたプロトコルを保持するプロトコルパラメータ保持部と、
前記選択されたプロトコルのパラメータに対する変更情報の入力を受けて、前記パラメータを変更し、変更後におけるプロトコルを前記プロトコルデータ記憶部に書き込んで更新させるプロトコルパラメータ記録部と、
前記プロトコルパラメータ保持部に保持された前記パラメータの変更前における前記選択されたプロトコルと前記プロトコルデータ記憶部から読み込んだ前記変更後におけるプロトコルとを参照することにより、前記パラメータの変更履歴を含むプロトコル変更履歴データを作成するプロトコルパラメータ変更履歴記録部と、
を有することを特徴とする画像診断装置。
【請求項１０】
前記プロトコルパラメータ変更履歴記録部は、プロトコルの変更の有無、前記選択されたプロトコルの名称、前記選択されたプロトコルの識別情報、前記選択されたプロトコルを構成するシーケンスの名称、変更された前記パラメータの名称、前記パラメータの変更前後におけるデータ値、前記パラメータを変更した日時情報、前記パラメータを変更したユーザの名称、前記パラメータを変更したユーザの識別情報および前記パラメータの変更理由の少なくとも１つを前記プロトコル変更履歴データに含めるように構成されることを特徴とする請求項９記載の画像診断装置。
【請求項１１】
前記プロトコル変更履歴データを保存するプロトコル変更履歴データ記憶部と、
指定されたプロトコルに使用される特定のパラメータの変更をプロトコル変更情報として前記プロトコル変更履歴データから検知するプロトコル変更情報検知部と、
前記プロトコル変更情報を表示するプロトコル変更情報表示部と、
を設けた、
ことを特徴とする請求項９記載の画像診断装置。
【請求項１２】
前記プロトコル変更履歴データを保存するプロトコル変更履歴データ記憶部と、
ある変更後における特定のパラメータの復元要求を受けた場合に、前記特定のパラメータについての対応するプロトコル変更履歴データを前記プロトコル変更履歴データ記憶部から抽出する復元パラメータ変更履歴抽出部と、
前記復元パラメータ変更履歴抽出部により抽出された前記対応するプロトコル変更履歴データに基づいて前記ある変更前における前記特定のパラメータを取得て前記プロトコルパラメータ記録部に与えることにより、前記プロトコルデータ記憶部に保存された前記ある変更後における前記特定のパラメータを前記ある変更前における前記特定のパラメータに復元させる復元パラメータ選択部と、
を設けたことを特徴とする請求項９記載の画像診断装置。
【請求項１３】
前記プロトコル変更履歴データに基づいて、前記変更後における前記パラメータおよび前記変更後におけるプロトコルの少なくとも一方の表示形式を、前記変更前における前記パラメータおよび前記変更前における前記選択されたプロトコルの表示形式と異なるものとして、前記変更後の前記パラメータおよび前記変更後のプロトコルの少なくとも一方を識別可能に表示させる変更パラメータ表示部を設けたことを特徴とする請求項９記載の画像診断装置。
【請求項１４】
前記選択されたプロトコルの利用日をユーザの識別情報に関連付けることによりプロトコル利用日情報を作成するプロトコル種別確認部と、
前記プロトコル利用日情報を保存するプロトコル利用日記憶部とを設け、
前記プロトコル変更情報検知部は、前記プロトコル変更情報の表示要求を行っているユーザの識別情報に対応する前記指定されたプロトコルについての対応するプロトコル利用日情報を前記プロトコル利用日記憶部から取得し、取得した前記対応するプロトコル利用日情報および前記プロトコル変更履歴データから前記プロトコル変更情報を検知するように構成される、
ことを特徴とする請求項１１記載の画像診断装置。
【請求項１５】
前記選択されたプロトコルの利用日をユーザの識別情報に関連付けることによりプロトコル利用日情報を作成するプロトコル種別確認部と、
前記プロトコル利用日情報を保存するプロトコル利用日記憶部とを設け、
前記プロトコル変更情報検知部は、前記プロトコル変更情報の表示要求を行っているユーザの識別情報に対応する前記指定されたプロトコルについてのプロトコル利用日情報を前記プロトコル利用日記憶部から取得し、取得した前記プロトコル利用日情報および前記プロトコル変更履歴データから前記ユーザの利用実績があるプロトコルについてのプロトコル変更情報を検知するように構成される、
ことを特徴とする請求項１１記載の画像診断装置。
【請求項１６】
所要の時点における日時を日時情報として管理する日時データ管理部を設け、
前記プロトコル変更情報検知部は、前記日時データ管理部から前記日時情報を取得し、取得した前記日時情報および前記プロトコル変更履歴データから前記プロトコル変更情報を検知するように構成される、
ことを特徴とする請求項１１記載の画像診断装置。
【請求項１７】
所要の時点における日時を日時情報として管理する日時データ管理部を設け、
前記プロトコル変更情報検知部は、前記日時データ管理部から前記日時情報を取得し、取得した前記日時情報、前記プロトコル変更履歴データおよびユーザのログイン履歴から前記プロトコル変更情報を検知するように構成される、
ことを特徴とする請求項１１記載の画像診断装置。
【請求項１８】
複数のプロトコルを保存するプロトコルデータ記憶部からプロトコルの選択情報に基づいて抽出されたプロトコルを保持するプロトコルパラメータ保持部と、
前記プロトコルのパラメータに対する変更情報に従って変更され、前記プロトコルデータ記憶部に保存された前記パラメータの変更後におけるプロトコルを読み込む一方、前記プロトコルパラメータ保持部から前記パラメータの変更前における前記プロトコルを読み込んで、前記パラメータの変更後におけるプロトコルと前記パラメータの変更前における前記プロトコルとを参照することにより、前記パラメータの変更履歴を含むプロトコル変更履歴データを作成するプロトコルパラメータ変更履歴記録部と、
を有することを特徴とする医用システム。
【請求項１９】
病院側に設けられ、前記病院側の画像診断装置から前記画像診断装置のプロトコルに関する変更履歴を示すプロトコル変更履歴データを取得するデータ取得部と、
前記病院側に設けられ、前記プロトコル変更履歴データをセンタ側に転送するデータ転送部と、
前記センタ側に設けられ、前記データ転送部から転送された前記プロトコル変更履歴データを受信するデータ受付部と、
前記センタ側に設けられ、前記データ受付部により受信された前記プロトコル変更履歴データを格納するプロトコル変更履歴データベースと、
前記センタ側に設けられ、前記プロトコル変更履歴データベースに保存された前記プロトコル変更履歴データに基づいて、指定されたプロトコルに関する変更をプロトコル変更情報として検知する変更情報検知部と、
前記センタ側に設けられ、前記プロトコル変更情報を用いてレポートを作成し、作成した前記レポートを前記病院側に送信するレポート作成部と、
前記病院側に設けられ、前記レポート作成部から送信された前記レポートを受信する病院側クライアントと、
を有することを特徴とする医用システム。
【請求項２０】
センタ側に設けられ、病院側に設けられた画像診断装置のプロトコルに関する変更履歴を示すプロトコル変更履歴データを前記病院側からネットワークを介して受信するデータ受付部と、
前記センタ側に設けられ、前記データ受付部により受信された前記プロトコル変更履歴データを格納するプロトコル変更履歴データベースと、
前記センタ側に設けられ、前記プロトコル変更履歴データベースに保存された前記プロトコル変更履歴データに基づいて、指定されたプロトコルに関する変更をプロトコル変更情報として検知する変更情報検知部と、
前記センタ側に設けられ、前記プロトコル変更情報を用いてレポートを作成し、作成した前記レポートを前記病院側に送信するレポート作成部と、
を有することを特徴とする医用システム。
【請求項２１】
前記病院側から前記レポートの作成指示を受信してレポート作成トリガを生成するレポート作成トリガ受付部を前記センタ側に設け、
前記レポート作成部は、前記レポート作成トリガ受付部が前記レポート作成トリガを生成した場合に前記レポートを作成するように構成される、
ことを特徴とする請求項１９または２０記載の医用システム。
【請求項２２】
一定の時間が経過した際に前記レポートの作成を指示するレポート作成トリガを生成するレポート作成トリガ受付部を前記センタ側に設け、
前記レポート作成部は、前記レポート作成トリガ受付部が前記レポート作成トリガを生成した場合に前記レポートを作成するように構成される、
ことを特徴とする請求項１９または２０記載の医用システム。
【請求項２３】
前記レポート作成部は、前記プロトコル変更情報を用いて所定の統計データを取得し、検査記録データを付加することにより前記変更後の前記指定されたプロトコルを用いた検査の履歴を前記レポートとして作成するように構成されることを特徴とする請求項１９または２０記載の医用システム。
【請求項２４】
プロトコルに関する複数の変更履歴をプロトコル変更履歴データとして記録するステップと、
前記プロトコル変更履歴データに基づいて指定されたプロトコルに関する変更をプロトコル変更情報として検知するステップと、
前記プロトコル変更情報を表示するステップと、
を有することを特徴とするプロトコル管理方法。
【請求項２５】
複数のプロトコルを保存するプロトコルデータ記憶部からプロトコルの選択情報に基づいて、選択されたプロトコルを抽出するステップと、
抽出した前記選択されたプロトコルを保持するステップと、
前記選択されたプロトコルのパラメータに対する変更情報の入力を受けて、前記パラメータを変更し、変更後におけるプロトコルを前記プロトコルデータ記憶部に書き込んで前記プロトコルを更新させるステップと、
前記保持した前記パラメータの変更前における前記選択されたプロトコルと前記プロトコルデータ記憶部から読み込んだ前記変更後におけるプロトコルとを参照することにより、前記パラメータの変更履歴を含むプロトコル変更履歴データを作成するステップと、
を有することを特徴とするプロトコル管理方法。
【請求項２６】
病院側において、前記病院側の画像診断装置から前記画像診断装置のプロトコルに関する変更履歴を示すプロトコル変更履歴データを取得するステップと、
前記病院側から前記プロトコル変更履歴データをセンタ側に転送するステップと、
前記センタ側において、前記プロトコル変更履歴データを受信するステップと、
前記センタ側において、受信した前記プロトコル変更履歴データを保存するステップと、
前記センタ側において、保存された前記プロトコル変更履歴データに基づいて、指定されたプロトコルに関する変更をプロトコル変更情報として検知するステップと、
前記センタ側において、前記プロトコル変更情報を用いてレポートを作成し、作成した前記レポートを前記病院側に送信するステップと、
前記病院側において、前記レポートを受信するステップと、
を有することを特徴とするプロトコル管理方法。
【請求項２７】
センタ側において、病院側に設けられた画像診断装置のプロトコルに関する変更履歴を示すプロトコル変更履歴データを前記病院側からネットワークを介して受信するステップと、
前記センタ側において、受信した前記プロトコル変更履歴データを保存するステップと、
前記センタ側において、保存された前記プロトコル変更履歴データに基づいて、指定されたプロトコルに関する変更をプロトコル変更情報として検知するステップと、
前記センタ側において、前記プロトコル変更情報を用いてレポートを作成し、作成した前記レポートを前記病院側に送信するステップと、
を有することを特徴とするプロトコル管理方法。
【発明の詳細な説明】
【技術分野】
【０００１】
本発明は、スキャンプランやプロトコルに対する変更や修正等の履歴を管理することが可能な画像診断装置、医用システムおよびプロトコル管理方法に関する。
【背景技術】
【０００２】
画像診断装置の１つとしてＭＲＩ（Ｍａｇｎｅｔｉｃ  ｒｅｓｏｎａｎｃｅ  ｉｍａｇｉｎｇ）装置がある。ＭＲＩ装置は、撮影条件を規定するシーケンスによって定義されたスキャンプランやプロトコルにより制御される。ＭＲＩ装置におけるシーケンスの種類は、全部でおよそ３０００種類にのぼる。さらに、単一のシーケンスを設定するためのパラメータは８０項目程度である。
【０００３】
そして、これらのシーケンスを組み合わせることで、検査目的に対応したＰＡＳが作成される。作成されたＰＡＳは、通常、検査目的や検査対象によって分類され、ＭＲＩ装置内の記憶装置に格納されて保存される。
【０００４】
また、このようなＭＲＩ装置のプロトコルを定義するシーケンスのパラメータを設定する方法やシステムが考案されている（例えば特許文献１参照）。
【０００５】
この技術では、検査種毎、撮影種毎、処理種毎に操作者が設定可能なパラメータ群が定義され、さらに各設定可能なパラメータの設定可能範囲が限定される。そして、所定の撮影種等を選択した場合に、選択された撮影種等に対応するパラメータ群のみが、制御可能な形態にて提供される。
【特許文献１】特開２００３−２２５２２２号公報
【発明の開示】
【発明が解決しようとする課題】
【０００６】
しかしながら、従来のＭＲＩ装置において、操作者が関与することなく他の操作者が不作為にパラメータを変更した場合に、本来の操作者はパラメータが変更されたことを知る手段がないという問題がある。しかも、３０００種類程も存在するシーケンス内の８０項目にものぼるパラメータがについての情報量（３０００シーケンス×８０パラメータの情報量）は膨大であり、仮にパラメータが変更されたということが判明したとしても、どのシーケンスのどのパラメータを変更したのかを簡易に見つけ出すことが困難である。
【０００７】
そこで、シーケンスの変更内容とともに変更した操作者や変更日時といった変更情報を取得して管理することが望まれる。更には、この変更情報を基にシーケンスのパラメータを変更前のパラメータに戻せるようにできれば操作者の利便性の向上が期待できる。
【０００８】
そして、このような問題や問題解決に対する要求は、ＭＲＩ装置のみならず、Ｘ線ＣＴ（ｃｏｍｐｕｔｅｄ  ｔｏｍｏｇｒａｐｈｙ）装置等の画像診断装置やＨＩＳ（ｈｏｓｐｉｔａｌ  ｉｎｆｏｒｍａｔｉｏｎ  ｓｙｓｔｅｍ）等の医用システムにも共通のものである。
【０００９】
本発明はかかる従来の事情に対処するためになされたものであり、スキャンプランやプロトコルに対する変更や修正等の履歴を管理することが可能な画像診断装置、医用システムおよびプロトコル管理方法を提供することを目的とする。
【課題を解決するための手段】
【００１０】
本発明に係る画像診断装置は、上述の目的を達成するために、請求項１に記載したように、プロトコルに関する複数の変更履歴をプロトコル変更履歴データとして記録するプロトコル変更履歴記録部と、前記プロトコル変更履歴データに基づいて指定されたプロトコルに関する変更をプロトコル変更情報として検知するプロトコル変更情報検知部と、前記プロトコル変更情報を表示するプロトコル変更情報表示部とを有するものである。
【００１１】
また、本発明に係る画像診断装置は、上述の目的を達成するために、請求項９に記載したように、プロトコルを保存するプロトコルデータ記憶部と、前記プロトコルの選択情報に基づいて、選択された前記プロトコルを前記プロトコルデータ記憶部から抽出するプロトコルパラメータ抽出部と、前記プロトコルパラメータ抽出部により抽出された前記プロトコルを保持するプロトコルパラメータ保持部と、前記プロトコルパラメータ抽出部により抽出された前記プロトコルのパラメータに対する変更情報の入力を受けて、前記プロトコルのパラメータを変更し、変更後における前記プロトコルを前記プロトコルデータ記憶部に書き込んで更新させるプロトコルパラメータ記録部と、前記プロトコルパラメータ保持部に保持された前記パラメータの変更前における前記プロトコルと前記プロトコルデータ記憶部から読み込んだ前記パラメータの変更後における前記プロトコルとを参照することにより、前記プロトコルのパラメータの変更履歴を含むプロトコル変更履歴データを作成するプロトコルパラメータ変更履歴記録部とを有するものである。
【００１２】
また、本発明に係る医用システムは、上述の目的を達成するために、請求項１８に記載したように、プロトコルを保存するプロトコルデータ記憶部からプロトコルの選択情報に基づいて抽出されたプロトコルを保持するプロトコルパラメータ保持部と、前記抽出されたプロトコルのパラメータに対する変更情報に従って変更され、前記プロトコルデータ記憶部に保存された前記パラメータの変更後におけるプロトコルを読み込む一方、前記プロトコルパラメータ保持部から前記パラメータの変更前における前記プロトコルを読み込んで、前記パラメータの変更前後における各プロトコルを参照することにより、前記プロトコルのパラメータの変更履歴を含むプロトコル変更履歴データを作成するプロトコルパラメータ変更履歴記録部とを有するものである。
【００１３】
また、本発明に係る医用システムは、上述の目的を達成するために、請求項１９に記載したように、病院側に設けられ、前記病院側の画像診断装置から前記画像診断装置のプロトコルに関する変更履歴を示すプロトコル変更履歴データを取得するデータ取得部と、前記病院側に設けられ、前記データ取得部により取得された前記プロトコル変更履歴データをセンタ側に転送するデータ転送部と、前記センタ側に設けられ、前記データ転送部から転送された前記プロトコル変更履歴データを受信するデータ受付部と、前記センタ側に設けられ、前記データ受付部により受信された前記プロトコル変更履歴データを格納するプロトコル変更履歴データベースと、前記センタ側に設けられ、前記プロトコル変更履歴データベースに保存された前記プロトコル変更履歴データに基づいて、指定されたプロトコルに関する変更をプロトコル変更情報として検知する変更情報検知部と、前記センタ側に設けられ、前記プロトコル変更情報を用いてレポートを作成し、作成した前記レポートを前記病院側に送信するレポート作成部と、前記病院側に設けられ、前記レポート作成部から送信された前記レポートを受信する病院側クライアントとを有するものである。
【００１４】
また、本発明に係る医用システムは、上述の目的を達成するために、請求項２０に記載したように、センタ側に設けられ、病院側に設けられた画像診断装置のプロトコルに関する変更履歴を示すプロトコル変更履歴データを前記病院側からネットワークを介して受信するデータ受付部と、前記センタ側に設けられ、前記データ受付部により受信された前記プロトコル変更履歴データを格納するプロトコル変更履歴データベースと、前記センタ側に設けられ、前記プロトコル変更履歴データベースに保存された前記プロトコル変更履歴データに基づいて、指定されたプロトコルに関する変更をプロトコル変更情報として検知する変更情報検知部と、前記センタ側に設けられ、前記プロトコル変更情報を用いてレポートを作成し、作成した前記レポートを前記病院側に送信するレポート作成部とを有するものである。
【００１５】
また、本発明に係るプロトコル管理方法は、上述の目的を達成するために、請求項２４に記載したように、プロトコルに関する複数の変更履歴をプロトコル変更履歴データとして記録するステップと、前記プロトコル変更履歴データに基づいて指定されたプロトコルに関する変更をプロトコル変更情報として検知するステップと、前記プロトコル変更情報を表示するステップとを有するものである。
【００１６】
また、本発明に係るプロトコル管理方法は、上述の目的を達成するために、請求項２５に記載したように、プロトコルを保存するプロトコルデータ記憶部から前記プロトコルの選択情報に基づいて、選択されたプロトコルを抽出するステップと、前記抽出した前記プロトコルを保持するステップと、前記抽出した前記プロトコルのパラメータに対する変更情報の入力を受けて、前記プロトコルのパラメータを変更し、変更後における前記プロトコルを前記プロトコルデータ記憶部に書き込んで更新させるステップと、前記保持した前記パラメータの変更前における前記プロトコルと前記プロトコルデータ記憶部から読み込んだ前記パラメータの変更後における前記プロトコルとを参照することにより、前記プロトコルのパラメータの変更履歴を含むプロトコル変更履歴データを作成するステップとを有するものである。
【００１７】
また、本発明に係るプロトコル管理方法は、上述の目的を達成するために、請求項２６に記載したように、病院側において、前記病院側の画像診断装置から前記画像診断装置のプロトコルに関する変更履歴を示すプロトコル変更履歴データを取得するステップと、前記病院側から前記プロトコル変更履歴データをセンタ側に転送するステップと、前記センタ側において、前記プロトコル変更履歴データを受信するステップと、前記センタ側において、受信した前記プロトコル変更履歴データを保存するステップと、前記センタ側において、保存された前記プロトコル変更履歴データに基づいて、指定されたプロトコルに関する変更をプロトコル変更情報として検知するステップと、前記センタ側において、前記プロトコル変更情報を用いてレポートを作成し、作成した前記レポートを前記病院側に送信するステップと、前記病院側において、前記レポートを受信するステップとを有するものである。
【００１８】
また、本発明に係るプロトコル管理方法は、上述の目的を達成するために、請求項２７に記載したように、センタ側において、病院側に設けられた画像診断装置のプロトコルに関する変更履歴を示すプロトコル変更履歴データを前記病院側からネットワークを介して受信するステップと、前記センタ側において、受信した前記プロトコル変更履歴データを保存するステップと、前記センタ側において、保存された前記プロトコル変更履歴データに基づいて、指定されたプロトコルに関する変更をプロトコル変更情報として検知するステップと、前記センタ側において、前記プロトコル変更情報を用いてレポートを作成し、作成した前記レポートを前記病院側に送信するステップとを有するものである。
【発明の効果】
【００１９】
本発明に係る画像診断装置、医用システムおよびプロトコル管理方法においては、スキャンプランやプロトコルに対する変更や修正等の履歴を管理することができる。
【発明を実施するための最良の形態】
【００２０】
本発明に係る画像診断装置、医用システムおよびプロトコル管理方法の実施の形態について添付図面を参照して説明する。
【００２１】
図１は本発明に係る画像診断装置の第１の実施形態を示す機能ブロック図である。
【００２２】
画像診断装置１には、プロトコル変更履歴管理システム２が搭載される。また、画像診断装置１には、ＧＵＩ（Graphical User Interface）技術により構築されたユーザインターフェース３が備えられる。
【００２３】
プロトコル変更履歴管理システム２を搭載する画像診断装置１としては、超音波診断装置、Ｘ線ＣＴ装置、Ｘ線診断装置、核医学診断装置およびＭＲＩ装置等の画像診断装置１とすることが可能であるが、ここではＭＲＩ装置を例に説明する。また、画像診断装置１に限らず、ＨＩＳ，ＲＩＳ（ｒａｄｉｏｌｏｇｙ  ｉｎｆｏｒｍａｔｉｏｎ  ｓｙｓｔｅｍ）、ＰＡＣＳ（ｐｉｃｔｕｒｅ  ａｒｃｈｉｖｉｎｇ  ａｎｄ  ｃｏｍｍｕｎｉｃａｔｉｏｎ  ｓｙｓｔｅｍ）、病院外とのネットワークを利用したＡＳＰ（Ａｐｐｌｉｃａｔｉｏｎ  Ｓｅｒｖｉｃｅ  Ｐｒｏｖｉｄｅｒ）システム等の医用システムにプロトコル変更履歴管理システム２を搭載することもできる。
【００２４】
尚、プロトコル変更履歴管理システム２を搭載する対象が医用システムである場合と画像診断装置１である場合との実質的な相違点は、データをネットワークを介して送受信するか否かであり、実現方法は同等である。
【００２５】
また、画像診断装置１には、プロトコルデータ記憶部４、ユーザＩＤ入力部５、ユーザＩＤ認知部６、プロトコル選択部７、プロトコルパラメータ抽出部８、プロトコルパラメータ表示部９、プロトコルパラメータ変更情報入力部１０、プロトコルパラメータ記録部１１、日時データ管理部１２が備えられる。そして、これらの構成要素により画像診断装置１に保存されたプロトコルのパラメータを変更させることができるように構成される。
【００２６】
さらに、プロトコル変更履歴管理システム２は、プロトコル変更履歴データ記憶部１３、プロトコルパラメータ変更履歴記録部１４およびプロトコルパラメータ保持部１５を有する。そして、これらの構成要素によりプロトコル変更履歴管理システム２には、プロトコルパラメータの変更履歴の保存機能が備えられる。
【００２７】
また、ユーザＩＤ入力部５、プロトコルパラメータ変更情報入力部１０、プロトコルパラメータ表示部９、プロトコル選択部７はユーザインターフェース３を形成している。
【００２８】
プロトコルデータ記憶部４には、予め画像診断装置１で使用可能な各プロトコルが保存される。各プロトコルには、プロトコルの識別情報であるプロトコルＩＤ、ＰＡＳ名、シーケンス名、パラメータ名、各パラメータのデータ値が含められる。
【００２９】
ユーザＩＤ入力部５は、ユーザＩＤおよびパスワードの入力を受けて、入力されたユーザＩＤおよびパスワードをユーザＩＤ認知部６に与えるユーザインターフェース３である。
【００３０】
ユーザＩＤ認知部６は、ユーザＩＤ入力部５から受けたユーザＩＤおよびパスワードに基づいてユーザの権限を決定する機能と、決定したユーザの権限をプロトコルパラメータ抽出部８に与える一方、ユーザＩＤ等のユーザ識別情報をプロトコルパラメータ変更履歴記録部１４に与える機能とを有する。
【００３１】
プロトコル選択部７は、表示対象あるいは変更対象となるプロトコルの抽出要求を受けて、入力されたプロトコルの抽出要求をプロトコルパラメータ抽出部８に与えるユーザインターフェース３である。
【００３２】
プロトコルパラメータ抽出部８は、プロトコル選択部７から受けたプロトコルの抽出要求に従って、プロトコルデータ記憶部４から要求されたプロトコルを抽出する機能と、抽出したプロトコルをプロトコルパラメータ表示部９およびプロトコルパラメータ保持部１５に与える機能とを有する。また、プロトコルパラメータ抽出部８がプロトコルを抽出する際には、ユーザＩＤ認知部６から受けたユーザの権限が参照され、要求されているプロトコルへのアクセス権限の有無が確認される。
【００３３】
プロトコルパラメータ表示部９は、プロトコルパラメータ抽出部８から受けたプロトコルのパラメータを表示させるユーザインターフェース３である。
【００３４】
プロトコルパラメータ保持部１５は、プロトコルパラメータ抽出部８から受けたプロトコルを保持する機能と、保持したプロトコルをプロトコルパラメータ変更履歴記録部１４に与える機能とを有する。
【００３５】
プロトコルパラメータ変更情報入力部１０は、プロトコルパラメータ表示部９に表示されたプロトコルのパラメータに対する変更情報の入力を受けて、入力されたプロトコルのパラメータに対する変更情報をプロトコルパラメータ記録部１１に与えるユーザインターフェース３である。
【００３６】
プロトコルパラメータ記録部１１は、プロトコルパラメータ変更情報入力部１０から受けたプロトコルのパラメータに対する変更情報に従って、新たなパラメータにより定義されるプロトコルを作成し、作成した変更後のプロトコルをプロトコルデータ記憶部４に書き込むことによりプロトコルを更新させる機能と、変更後のプロトコルをプロトコルデータ記憶部４に書き込んだ旨の保存完了通知をプロトコルパラメータ変更履歴記録部１４に与える機能とを有する。
【００３７】
日時データ管理部１２は、日時（日付や時間）を管理し、所要のある時点、例えばプロトコルパラメータ変更履歴記録部１４から日時情報の要求を受けた時点における日時をプロトコルパラメータ変更履歴記録部１４に通知する機能を有する。
【００３８】
プロトコルパラメータ変更履歴記録部１４は、プロトコルデータ記憶部４に保存されている更新後におけるプロトコルとプロトコルパラメータ保持部１５に一時的に格納されている更新前におけるプロトコルとを読み込んで比較することにより、プロトコルのうち変更されたパラメータを検出する機能と、検出した結果に基づいてプロトコル変更履歴データを作成する機能とを有する。
【００３９】
このプロトコル変更履歴データには、プロトコルの変更の有無、変更されたプロトコルの名称、変更されたプロトコルの識別情報、変更された前記プロトコルを構成するシーケンスの名称、変更されたパラメータの名称、変更されたパラメータの変更前後におけるデータ値、プロトコルのパラメータを変更した日時情報、プロトコルのパラメータを変更したユーザの名称、プロトコルのパラメータを変更したユーザの識別情報およびパラメータの変更理由等の情報のうち必要な情報を含めることができる。すなわち、プロトコルパラメータ変更履歴記録部１４は、パラメータの変更前後における値に任意の情報を付加することによりプロトコル変更履歴データを作成する機能を有する。
【００４０】
そのために、プロトコルパラメータ変更履歴記録部１４には、日時データ管理部１２に日時情報の要求を行って、所定の時点における日時を取得する機能が設けられる。また、パラメータを変更したユーザのユーザＩＤは、ユーザＩＤ認知部６から取得することができる。また、パラメータの変更理由を図示しない入力装置から受け取って、プロトコル変更履歴データに含めるようにすることもできる。
【００４１】
さらに、プロトコルパラメータ変更履歴記録部１４は、作成したプロトコル変更履歴データをプロトコル変更履歴データ記憶部１３に書き込む機能を有する。
【００４２】
このため、プロトコル変更履歴データ記憶部１３には、プロトコルパラメータ変更履歴記録部１４により作成されたプロトコル変更履歴データが保存される。
【００４３】
次に画像診断装置１の作用について説明する。
【００４４】
図２は、図１に示す画像診断装置１によりプロトコル変更履歴を保存する際の流れを示すフローチャートであり、図中Ｓに数字を付した符号はフローチャートの各ステップを示す。
【００４５】
まずステップＳ１において、ユーザＩＤ入力部５にユーザのユーザＩＤおよびパスワードが入力されると、入力されたユーザＩＤおよびパスワードは、ユーザＩＤ認知部６に与えられる。ユーザＩＤ認知部６は、入力されたユーザＩＤおよびパスワードにより、ユーザの権限を決定する。すなわちアクセス可能なプロトコルの範囲や、ユーザＩＤ毎に設定されている閲覧権限や登録修正権限等の権限が決定される。さらに、ユーザＩＤ認知部６は決定したユーザの権限をプロトコルパラメータ抽出部８に通知し、入力されたユーザＩＤをプロトコルパラメータ変更履歴記録部１４に与える。
【００４６】
そして、プロトコルへのアクセス権限がユーザに認められると、ユーザは、プロトコル選択画面を表示させて単一あるいは複数の任意のプロトコルを選択することができるようになる。
【００４７】
次に、ステップＳ２において、プロトコル選択画面が表示され、ユーザが表示されたプロトコル選択画面を参照しつつ、プロトコル選択部７に表示対象あるいは変更対象となるプロトコルの抽出要求を入力する。プロトコルの抽出要求は、プロトコルの識別情報であるプロトコルＩＤ、ＰＡＳ名、シーケンス名等の情報を用いることができる。
【００４８】
そうすると、入力されたプロトコルの抽出要求がプロトコルパラメータ抽出部８に与えられる。プロトコルパラメータ抽出部８は、ユーザＩＤ認知部６から受けたユーザ権限を参照し、要求されたプロトコルへのアクセス権限がある場合には、プロトコルデータ記憶部４から要求された既存のプロトコルを抽出する。
【００４９】
そして、抽出されたプロトコルはプロトコルパラメータ表示部９およびプロトコルパラメータ保持部１５に与えられる。この結果、ユーザインターフェース３上のプロトコルパラメータ表示部９により、選択されたプロトコルが表示される。また、一方で、プロトコルパラメータ抽出部８により抽出された既存のプロトコルは、プロトコルパラメータ保持部１５に一時的に格納される。
【００５０】
次に、ステップＳ３において、プロトコルパラメータ表示部９に表示されたプロトコルのパラメータが変更される。すなわち、ユーザはプロトコルパラメータ表示部９に表示されたプロトコルを参照しつつ、プロトコルパラメータ変更情報入力部１０にプロトコルのパラメータに対する変更情報を入力する。このため、プロトコルパラメータ変更情報入力部１０は、入力されたプロトコルのパラメータに対する変更情報をプロトコルパラメータ記録部１１に与え、プロトコルパラメータ記録部１１は、プロトコルのパラメータに対する変更情報に従って、新たなパラメータにより定義されるプロトコルを作成する。そして、作成された変更後のプロトコルは、プロトコルデータ記憶部４に書き込まれて保存される。この結果、プロトコルデータ記憶部４に保存されていた既存のプロトコルは更新される。
【００５１】
また、このとき、プロトコルパラメータ記録部１１は、プロトコルデータ記憶部４に保存されていた既存のプロトコルの更新が完了した旨の保存完了通知をプロトコルパラメータ変更履歴記録部１４に与える。
【００５２】
次に、ステップＳ４において、プロトコルパラメータ変更履歴記録部１４は、プロトコルデータ記憶部４に保存されている更新後におけるプロトコルとプロトコルパラメータ保持部１５に一時的に格納されている更新前におけるプロトコルとを読み込んで比較する。そして、プロトコルパラメータ変更履歴記録部１４は、プロトコルのうち変更されたパラメータを検出し、検出したパラメータの変更前後における値にパラメータを変更したユーザのユーザＩＤ、変更日付、変更時間等の情報を付加したプロトコル変更履歴データを作成する。
【００５３】
このとき、ユーザＩＤ、変更日付、変更時間等の付随情報は、日時データ管理部１２やユーザＩＤ認知部６からプロトコルパラメータ変更履歴記録部１４に与えられる。さらに、作成されたプロトコル変更履歴データは、プロトコルパラメータ変更履歴記録部１４によりプロトコル変更履歴データ記憶部１３に書き込まれて保存される。
【００５４】
図３は、図１に示す画像診断装置１のプロトコル変更履歴データ記憶部１３に保存されるプロトコル変更履歴データの一例を示す図である。
【００５５】
図３に示すようにプロトコル変更履歴データは、例えばパラメータの変更日時（Ｄａｔｅ＆Ｔｉｍｅ）、パラメータを変更したユーザのユーザＩＤ、変更されたパラメータを含むプロトコルのプロトコルＩＤ、ＰＡＳ名およびシーケンス（Ｓｅｑｕｅｎｃｅ）名、パラメータ（Ｐａｒａｍｅｔｅｒ）名、変更前におけるパラメータのデータ値（Ｄａｔａ  ｏｌｄ）、変更後におけるパラメータのデータ値（Ｄａｔａ  ｎｅｗ）を構成要素とし、時系列に記録されて保存される。
【００５６】
このため、以上のような画像診断装置１によれば、プロトコルのパラメータが変更された場合に、変更したユーザの識別情報や変更日時とともに変更前後におけるパラメータのデータ値をプロトコル変更履歴データとして記録し、管理することができる。このため、プロトコル変更履歴データを参照用に用いれば、多数のプロトコルおよびパラメータを有する画像診断装置１において、一部のパラメータが変更されたとしても容易に変更箇所および変更内容を確認することができる。
【００５７】
図４は本発明に係る画像診断装置の第２の実施形態を示す機能ブロック図である。
【００５８】
図４に示された、画像診断装置１Ａでは、プロトコル変更履歴データ記憶部１３に保存されたプロトコル変更履歴データやその他の必要な情報に基づいて、ユーザが指定する特定の情報に関する変更内容を検知し、検知結果を表示できるようにした点が図１に示す画像診断装置１と相違する。他の構成および作用については図１に示す画像診断装置１と実質的に異ならないため同一の構成については同符号を付して説明を省略する。また、プロトコル変更履歴データの保存に至るまでの処理に関する構成要素についての図示も省略する。
【００５９】
画像診断装置１Ａのプロトコル変更履歴管理システム２Ａには、プロトコル変更履歴データ記憶部１３の他、プロトコル種別確認部２０、プロトコル利用日記憶部２１、変更情報表示要求部２２、プロトコル変更情報検知部２３および変更情報表示部２４が設けられる。そして、これらの構成要素によりプロトコル変更履歴管理システム２Ａには、プロトコル変更履歴データに基づいて、ユーザが指定する特定の情報に関する変更内容を検知し、検知結果を表示する機能が備えられる。
【００６０】
プロトコル種別確認部２０は、日時データ管理部１２から受けた日時情報、ユーザＩＤ認知部６から受けたユーザＩＤおよびプロトコルパラメータ抽出部８から受けたプロトコルから、ユーザがプロトコルを表示させた日時をユーザＩＤおよびプロトコルの識別情報に関連付けて、プロトコル利用日情報を作成する機能と、作成したプロトコル利用日情報をプロトコル利用日記憶部２１に書き込む機能とを有する。
【００６１】
このため、プロトコル利用日記憶部２１には、プロトコル種別確認部２０により作成されたプロトコル利用日情報が保存される。
【００６２】
変更情報表示要求部２２は、プロトコル変更情報の表示要求を受けて、入力されたプロトコル変更情報の表示要求をプロトコル変更情報検知部２３に与えるユーザインターフェース３である。
【００６３】
表示対象となるプロトコル変更情報としては、プロトコル自体の変更、あるプロトコルについての過去における特定のパラメータの変更、プロトコルやパラメータの変更日時および変更したユーザの識別情報、変更の目的やタイプが挙げられる。プロトコルの変更の目的としては、例えば画質に係わる変更、撮影時間に係わる変更、撮影手技に係わる変更等の変更が挙げられる。
【００６４】
プロトコル変更情報検知部２３は、変更情報表示要求部２２からプロトコル変更情報の表示要求を受けた場合に、プロトコル変更履歴データ記憶部１３に保存されているプロトコル変更履歴データやプロトコル利用日記憶部２１に保存されているプロトコル利用日情報を検索し、対応するプロトコル変更情報を検知する機能と、検知したプロトコル変更情報を変更情報表示部２４に与える機能とを有する。また、必要に応じて、プロトコル変更情報検知部２３は、日時データ管理部１２から任意の時点における日時情報を取得できるように構成される。
【００６５】
具体的には、例えば表示すべきプロトコル変更情報が特定のパラメータの変更、変更日時あるいは変更したユーザの識別情報である場合には、プロトコル変更情報検知部２３が、表示要求されている特定のパラメータについてのプロトコル変更履歴データがプロトコル変更履歴データ記憶部１３に保存されているか否かの検索を行う。また、変更されたパラメータの表示要求を行っているユーザのユーザＩＤをユーザＩＤ認知部６から取得し、取得したユーザＩＤの当該プロトコルについてのプロトコル利用日情報をプロトコル利用日記憶部２１から取得する。そして、プロトコル変更履歴データとプロトコル利用日情報とを参照して予め定められた所望の条件を満たす場合に、パラメータが変更された旨のプロトコル変更情報を検知することができる。
【００６６】
また、表示すべきプロトコル変更情報が、特定の変更のタイプ（画質、撮影時間、撮影手技等）に係わるパラメータの変更である場合には、上記の検索に加え、予め変更のタイプとパラメータの種類を関連付けたテーブルをプロトコル変更情報検知部２３が参照し、変更されたパラメータが特定の変更のタイプに係わるものである場合に、プロトコル変更情報を検知することができる。
【００６７】
さらに、表示すべきプロトコル変更情報が、プロトコル自体の変更である場合には、プロトコル利用日記憶部２１に保存されているプロトコル利用日情報を検索し、対応するユーザのプロトコル利用日情報からプロトコル変更情報としてプロトコルの変更を検知することができる。
【００６８】
尚、プロトコル変更履歴データの検索範囲の決定方法は、後述するようにユーザのプロトコルの利用実績に基づく方法の他、ある期間を指定し、指定された期間のプロトコル変更履歴データを検索範囲とする方法や、ユーザが前回ログインした日時以降のプロトコル変更履歴データを検索範囲とする方法が挙げられる。検索範囲の指定は、変更情報表示要求部２２から行うことができる。プロトコルの利用実績については、プロトコル利用日記憶部２１に保存されたプロトコル利用日情報から得ることができる。また、検索に必要な日時情報は、日時データ管理部１２から取得することができる。
【００６９】
このように、プロトコル変更履歴管理システム２Ａでは、プロトコル変更情報の検知を、ユーザの指定により動的に行うことができる。そして、プロトコル変更情報を動的に検知できるようにすることで、プロトコル変更情報の表示機能によってユーザの利便性が阻害されないようにすることができる。例えば、単に全てのパラメータの変更履歴をプロトコル変更情報として表示するのみでは、表示される情報が煩雑となりユーザの利便性が損なわれる恐れがある。これに対し、プロトコル変更履歴管理システム２Ａでは、表示させるプロトコル変更情報の条件をユーザが任意に指定できるため、必要な変更情報のみを抽出して表示させることが可能となる。
【００７０】
変更情報表示部２４は、プロトコル変更情報検知部２３から受けたプロトコル変更情報を表示させるユーザインターフェース３である。
【００７１】
尚、変更情報表示部２４とプロトコルパラメータ表示部９とによりパラメータが変更されたプロトコルとパラメータが変更されていないプロトコルの双方をリスト状に表示するようにし、変更情報表示部２４がプロトコル変更情報検知部２３から受けたプロトコル変更情報に基づいて、変更されたプロトコルおよび変更されたパラメータの一方あるいは双方の色彩や字体等の表示形式を変更されていないプロトコルおよびパラメータの表示形式と異なるものとすることにより、変更されたプロトコルおよび変更されたパラメータの一方あるいは双方を識別可能に表示させることもできる。
【００７２】
次に画像診断装置１Ａの作用について説明する。尚、ここでは、表示すべきプロトコル変更情報が特定のパラメータの変更である場合を例に説明する。
【００７３】
図５は、図４に示す画像診断装置１Ａによりプロトコル変更履歴データ記憶部１３に保存されたプロトコル変更履歴データに基づいて、変更された特定のパラメータをプロトコル変更情報として表示させる際の流れを示すフローチャートであり、図中Ｓに数字を付した符号はフローチャートの各ステップを示す。
【００７４】
まずステップＳ１１において、ユーザＩＤ入力部５にユーザのユーザＩＤおよびパスワードが入力され、ユーザＩＤ認知部６によりユーザの権限の決定が行われる。そして、ユーザの権限はプロトコルパラメータ抽出部８に通知され、プロトコル種別確認部２０にユーザＩＤが与えられる。
【００７５】
そして、プロトコルへのアクセス権限がユーザに認められると、ユーザは、プロトコル選択画面を表示させて単一あるいは複数の任意のプロトコルを選択することができるようになる。
【００７６】
次に、ステップＳ１２において、プロトコル選択画面が表示され、ユーザが表示されたプロトコル選択画面を参照しつつ、プロトコル選択部７に表示対象となるプロトコルの抽出要求を入力すると、入力されたプロトコルの抽出要求がプロトコルパラメータ抽出部８に与えられる。プロトコルパラメータ抽出部８は、ユーザＩＤ認知部６から受けたユーザ権限を参照し、要求されたプロトコルへのアクセス権限がある場合には、プロトコルデータ記憶部４から要求された既存のプロトコルを抽出してプロトコルパラメータ表示部９およびプロトコル種別確認部２０に与える。この結果、ユーザインターフェース３上のプロトコルパラメータ表示部９により、選択されたプロトコルが表示される。
【００７７】
また、一方で、プロトコル種別確認部２０は、日時データ管理部１２から受けた日時情報、ユーザＩＤ認知部６から受けたユーザＩＤおよびプロトコルパラメータ抽出部８から受けたプロトコルから、ユーザがプロトコルを表示させた日時をユーザＩＤおよびプロトコルの識別情報に関連付けて、プロトコル利用日情報を作成し、作成したプロトコル利用日情報をプロトコル利用日記憶部２１に書き込んで保存させる。
【００７８】
この結果、プロトコル利用日記憶部２１には、プロトコルが選択されて表示される都度、プロトコル利用日情報が書き込まれる。そして、過去にアクセスされて表示されたプロトコルごとの利用日データがユーザＩＤ別に時系列に蓄積されて記録される。
【００７９】
図６は、図４に示す画像診断装置１Ａのプロトコル利用日記憶部２１に記録されたプロトコル利用日情報の一例を示す図である。
【００８０】
図６に示すように、プロトコル利用日情報は例えばユーザＩＤごとにテーブルを持ち、各ユーザがアクセスしたプロトコルのＰＡＳ名とアクセスした利用日とが記録されている。また、アクセスしていないプロトコルについても、例えば、「Ｎｏ  Ａｃｃｅｓｓ」とされてアクセスされていない旨の情報が記録されている。
【００８１】
次に、ステップＳ１３において、所望のプロトコルについての変更パラメータの表示要求が変更情報表示要求部２２を介してプロトコル変更情報検知部２３に与えられると、ステップＳ１４において、変更パラメータの表示要求がなされているパラメータについてのプロトコル変更履歴データがプロトコル変更履歴データ記憶部１３に保存されているか否かの検索を行う。
【００８２】
次に、ステップＳ１５において、変更パラメータの表示要求がなされているパラメータについてのプロトコル変更履歴データがプロトコル変更履歴データ記憶部１３に保存されていないと判定された場合には、ステップＳ１６において、プロトコル変更情報検知部２３が変更情報表示部２４にＮｕｌｌ情報を与える。この結果、プロトコル変更情報は表示されない。
【００８３】
一方、ステップＳ１５において、変更パラメータの表示要求がなされているパラメータについてのプロトコル変更履歴データがプロトコル変更履歴データ記憶部１３に保存されている場合には、ステップＳ１７において、該当するプロトコル変更履歴データがプロトコル変更情報検知部２３に読み込まれて取得される。また、併せて、プロトコル変更情報検知部２３は、変更パラメータの表示要求を行っているユーザのユーザＩＤをユーザＩＤ認知部６から取得し、取得したユーザＩＤの当該プロトコルについてのプロトコル利用日情報をプロトコル利用日記憶部２１から取得する。
【００８４】
次に、ステップＳ１８において、プロトコル変更情報検知部２３は、プロトコル利用日情報とプロトコル変更履歴データとを参照し、予め指定されたプロトコル変更情報の表示条件を満たすか否かの判定を行う。このとき、プロトコル変更情報の表示条件の判定に必要な場合には、日時データ管理部１２から所定の時点における、例えば、現在の日時情報がプロトコル変更情報検知部２３に与えられる。
【００８５】
そして、プロトコル変更情報の表示条件が満たされていないと判定された場合には、ステップＳ１６において、プロトコル変更情報検知部２３が変更情報表示部２４にＮｕｌｌ情報を与える。この結果、プロトコル変更情報は表示されない。
【００８６】
逆に、プロトコル変更情報の表示条件が満たされていると判定された場合には、ステップＳ１９において、プロトコル変更情報検知部２３は、プロトコル変更履歴データをプロトコル変更情報として変更情報表示部２４に与える。この結果、変更情報表示部２４にプロトコル変更情報が表示される。
【００８７】
尚、プロトコル変更情報の表示条件の例としては、該当しているプロトコルについてのプロトコル利用日情報がない場合には、ユーザが過去に当該プロトコルを表示させていないと推定されることから、プロトコル変更情報を表示させる一方、プロトコル利用日情報が存在するものの、プロトコル変更履歴データから判明するパラメータの変更日時よりもプロトコルの利用日時の方が後である場合には、既にユーザがパラメータの変更後におけるプロトコルを過去に表示させたと推定されることからＮｕｌｌ情報を変更情報表示部２４に与えてプロトコル変更情報を表示させない条件が挙げられる。
【００８８】
プロトコル利用日情報を用いた表示条件としては、上記の条件の他、例えば、ユーザの利用実績の有無を条件として、利用実績があるプロトコルについてのプロトコル変更履歴データのみからプロトコル変更情報を検知して変更情報表示部２４に表示させる方法が挙げられる。
【００８９】
また、プロトコル変更情報の別の表示条件の例としては、特定のパラメータの変更後、一定期間内、例えば１ヶ月以内のプロトコル変更履歴データであればプロトコル変更情報として表示させるという条件が挙げられる。この場合には、プロトコル変更履歴データから判明するパラメータの変更日時と日時データ管理部１２から取得した現在の（表示要求がされた時点の）日時情報とを比較することによりプロトコル変更情報の表示条件が満たされているか否かの判定を行うことができる。
【００９０】
すなわち、１ヶ月以上経過していれば、変更されたパラメータについてのプロトコル変更履歴データがプロトコル変更情報の検知対象とならないため変更情報表示部２４にＮｕｌｌ情報がプロトコル変更情報検知部２３から与えられる。逆に、１ヶ月以上経過していなければ、プロトコル変更情報検知部２３から変更されたパラメータについてのプロトコル変更履歴データからプロトコル変更情報が検知されて変更情報表示部２４に与えられる。
【００９１】
さらに、プロトコル変更情報の別の表示条件の例としては、前述のようにユーザが前回ログインした以降にパラメータの変更があったプロトコルについてのプロトコル変更履歴データからプロトコル変更情報を検知して変更情報表示部２４に表示させるようにすることもできる。この場合には、ユーザの識別情報とユーザのログイン日時とを関連付けてユーザログイン履歴として保存するユーザログイン履歴管理部を設け、ユーザログイン履歴と日時情報戸から表示条件を満たしているか否かを判定することができる。
【００９２】
図７は、図４に示す画像診断装置１Ａの変更情報表示部２４に表示されるプロトコル変更情報の一例を示す図である。
【００９３】
図７に示すように、カーソルを移動させて任意のプロトコルを選択すると、選択したプロトコルについての変更パラメータの表示要求が変更情報表示要求部２２を介してプロトコル変更情報検知部２３に与えられる。そうすると、プロトコル変更情報検知部２３は、カーソルで指示されたパラメータの値についてのプロトコル変更履歴データがプロトコル変更履歴データ記憶部１３に保存されているか否かを検索する。
【００９４】
プロトコル変更履歴データ記憶部１３にカーソルで指示されたパラメータの値についてのプロトコル変更履歴データが存在しない場合には、プロトコル変更情報が表示されないが、プロトコル変更履歴データが存在する場合には、表示条件を満たすことを条件にプロトコル変更情報検知部２３により抽出されたプロトコル変更履歴データに基づいて、パラメータの変更日時、シーケンス名、パラメータ名、変更前後におけるデータ値および変更したユーザの識別情報（例えばユーザの名称）がプロトコル変更情報として表示される。
【００９５】
このため、以上のような画像診断装置１Ａによれば、図１に示す画像診断装置１により保存されたプロトコル変更履歴データから、所望の条件に従って適切なプロトコル変更履歴データを抽出してプロトコル変更情報として表示させることができる。このため、ユーザは３０００シーケンス×８０パラメータの膨大な組み合わせの中から、容易に過去のプロトコルの変更事実および変更内容を知ることができる。また、変更内容のみならず、変更したユーザの識別情報等のプロトコルの変更管理に重要な情報を知ることもできる。
【００９６】
さらにまた、画像診断装置１Ａによれば、ユーザの過去のアクセス状況を考慮して無駄のないプロトコル変更情報の表示を行うことができる。例えば、一旦、表示させたプロトコル変更情報が複数回に亘って繰返し表示されないようにしたり、一定期間を経過したプロトコル変更情報については表示させないようにしたりすることができる。
【００９７】
図８は本発明に係る画像診断装置の第３の実施形態を示す機能ブロック図である。
【００９８】
図８に示された、画像診断装置１Ｂでは、プロトコル変更履歴データ記憶部１３に保存されたプロトコル変更履歴データに基づいて、変更されたパラメータを変更前のパラメータに戻すことができるようにした点が図１に示す画像診断装置１と相違する。他の構成および作用については図１に示す画像診断装置１と実質的に異ならないため同一の構成については同符号を付して説明を省略する。また、プロトコル変更履歴データの保存に至るまでの処理に関する構成要素についての図示も省略する。
【００９９】
画像診断装置１Ｂのプロトコル変更履歴管理システム２Ｂには、プロトコルパラメータ変更履歴記録部１４、プロトコルパラメータ保持部１５およびプロトコル変更履歴データ記憶部１３の他、変更前パラメータ表示要求部３０、復元パラメータ変更履歴抽出部３１、復元パラメータ選択部３２が設けられる。そして、これらの構成要素によりプロトコル変更履歴管理システム２Ｂには、プロトコル変更履歴データ記憶部１３に保存されたプロトコル変更履歴データに基づいて、変更されたパラメータを変更前のパラメータに戻す機能が備えられる。
【０１００】
変更前パラメータ表示要求部３０は、ある単一あるいは複数のプロトコルにおける既に変更済みのパラメータのうち、変更前のパラメータに復元できるパラメータのリストの表示要求を受けて、入力された復元可能なパラメータのリストの表示要求を復元パラメータ変更履歴抽出部３１に与えるユーザインターフェース３である。
【０１０１】
復元パラメータ変更履歴抽出部３１は、変更前パラメータ表示要求部３０から受けた復元可能なパラメータのリストの表示要求と予め定められた条件に従ってプロトコル変更履歴データ記憶部１３を検索するとともに復元の可否判定を行うことにより、対応する復元可能なパラメータについてのプロトコル変更履歴データを取得する機能と、取得したプロトコル変更履歴データまたは少なくともプロトコル変更履歴データに含まれる復元可能なパラメータのリストを復元パラメータ選択部３２に与える機能とを有する。
【０１０２】
また、復元パラメータ変更履歴抽出部３１は、パラメータの復元可否判定を行う際に、必要に応じて、ユーザＩＤ認知部６から対応するプロトコルまたはパラメータに対するアクセス権限の有無を、取得日時データ管理部１２から任意の時点における日時情報を、それぞれ取得できるように構成される。
【０１０３】
復元パラメータ選択部３２は、復元パラメータ変更履歴抽出部３１から受けたプロトコル変更履歴データおよび復元可能なパラメータのリストの一方あるいは双方を表示させて、パラメータの復元指示を受けてプロトコルパラメータ記録部１１に与えるユーザインターフェース３である。そして、プロトコルパラメータ記録部１１にプロトコルデータ記憶部４に保存された変更後のパラメータを変更前のパラメータに復元させるように構成される。
【０１０４】
次に画像診断装置１Ｂの作用について説明する。
【０１０５】
図９は、図８に示す画像診断装置１Ｂによりプロトコル変更履歴データ記憶部１３に保存されたプロトコル変更履歴データに基づいて、変更されたパラメータを変更前のパラメータに戻す際の流れを示すフローチャートであり、図中Ｓに数字を付した符号はフローチャートの各ステップを示す。
【０１０６】
まずステップＳ２１において、ユーザＩＤ入力部５にユーザのユーザＩＤおよびパスワードが入力され、ユーザＩＤ認知部６によりユーザの権限の決定が行われる。そして、ユーザの権限はプロトコルパラメータ抽出部８に通知され、復元パラメータ変更履歴抽出部３１にユーザＩＤが与えられる。
【０１０７】
そして、プロトコルへのアクセス権限がユーザに認められると、ユーザは、プロトコル選択画面を表示させて単一あるいは複数の任意のプロトコルを選択することができるようになる。
【０１０８】
次に、ステップＳ２２において、プロトコル選択画面が表示され、ユーザが表示されたプロトコル選択画面を参照しつつ、プロトコル選択部７に変更パラメータの復元対象となるプロトコルの抽出要求を入力すると、入力されたプロトコルの抽出要求がプロトコルパラメータ抽出部８に与えられる。プロトコルパラメータ抽出部８は、ユーザＩＤ認知部６から受けたユーザ権限を参照し、要求されたプロトコルへのアクセス権限がある場合には、プロトコルデータ記憶部４から要求された変更後のプロトコルを抽出してプロトコルパラメータ表示部９およびプロトコルパラメータ保持部１５に与える。
【０１０９】
この結果、ユーザインターフェース３上のプロトコルパラメータ表示部９により、選択された変更後のパラメータを含むプロトコルが表示される。また、一方で、変更後のパラメータを含むプロトコルがプロトコルパラメータ保持部１５に一時的に格納される。
【０１１０】
次に、ステップＳ２３において、復元可能なパラメータのリストを復元パラメータ選択部３２に表示させることができる。そのために、まずユーザは既に変更済みのパラメータのうち、変更前のパラメータに復元できるパラメータのリストの表示要求を変更前パラメータ表示要求部３０に入力することができる。そうすると、変更前パラメータ表示要求部３０は、入力された復元可能なパラメータのリストの表示要求を復元パラメータ変更履歴抽出部３１に与える。
【０１１１】
復元パラメータ変更履歴抽出部３１は、ユーザＩＤ認知部６からユーザＩＤに対応するプロトコルまたはパラメータに対するアクセス権限の有無を取得し、パラメータのリストの表示要求に従って、アクセス権限が存在する範囲内で表示、選択および復元可能なパラメータを含むプロトコル変更履歴データをプロトコル変更履歴データ記憶部１３から抽出する。そして、復元パラメータ変更履歴抽出部３１は、抽出したプロトコル変更履歴データやプロトコル変更履歴データに基づく復元可能なパラメータのリストを復元パラメータ選択部３２に与える。この結果、復元パラメータ選択部３２には、復元可能なパラメータが列挙されて表示される。
【０１１２】
図１０は、図８に示す画像診断装置１Ｂの復元パラメータ選択部３２に表示された復元可能なプロトコルのパラメータの一例を示す図である。
【０１１３】
図１０に示すように、カーソルにより特定のプロトコルを選択すると、変更日時、シーケンス名、パラメータ名、変更前後のデータ値および変更したユーザの識別情報が表示されて、復元可能なパラメータであることが確認できる。
【０１１４】
次に、ステップＳ２４において、ユーザは、復元対象となるパラメータの選択情報（指示）を、復元パラメータ選択部３２を介してプロトコルパラメータ記録部１１に与えることができる。このパラメータの選択は、パラメータごと、あるいはプロトコル単位で行うことができる。また、パラメータの選択情報には、変更前におけるパラメータのデータ値が含められる。
【０１１５】
このため、プロトコルパラメータ記録部１１は、変更前のパラメータにより定義されたプロトコルを復元し、プロトコルデータ記憶部４に保存されたプロトコルをパラメータの変更前におけるプロトコルに更新する。
【０１１６】
次に、ステップＳ２５において、プロトコルパラメータ記録部１１は、プロトコルデータ記憶部４に保存されたプロトコルの復元が完了すると、プロトコルの復元完了通知をプロトコルパラメータ変更履歴記録部１４に与える。
【０１１７】
次に、ステップＳ２６において、プロトコルパラメータ変更履歴記録部１４は、プロトコルパラメータ保持部１５に一時的に格納された復元前におけるプロトコルと、プロトコルデータ記憶部４に保存された復元後におけるプロトコルとを取得して比較する。そして、比較の結果、変更された（復元された）パラメータについてのプロトコル変更履歴データを作成してプロトコル変更履歴データ記憶部１３に書き込む。この結果、新たなパラメータの復元履歴を示すプロトコル変更履歴データがプロトコル変更履歴データ記憶部１３に保存される。
【０１１８】
尚、パラメータの復元履歴を示すプロトコル変更履歴データには、前述と同様に、ユーザＩＤ、復元日時等の情報が適宜付加される。
【０１１９】
このため、以上のような画像診断装置１Ｂによれば、図１に示す画像診断装置１により保存されたプロトコル変更履歴データを利用して、一旦変更したパラメータを再び元のパラメータに復元することが可能となる。
【０１２０】
図１１は本発明に係る医用システムの一例であるプロトコル変更履歴管理システムの実施の形態を示す機能ブロック図である。
【０１２１】
図１１に示された、プロトコル変更履歴管理システム２Ｃは、病院側４０とセンタ側４１とをネットワーク４２を介して接続したＡＳＰシステムとし、プロトコル変更履歴データに基づくプロトコル変更情報についてのレポートを作成することによりプロトコルの変更箇所を総括的に報告できるようにしたものである。プロトコル変更履歴管理システム２Ｃにおけるプロトコル変更履歴データの保存方法については図１に示す画像診断装置１に搭載されたプロトコル変更履歴管理システム２におけるものと実質的に異ならないためプロトコル変更履歴データの保存に至るまでの共通の構成要素については図示せず、説明も省略する。
【０１２２】
プロトコル変更履歴管理システム２Ｃは、病院側４０にサービスプロセッサ（ＳＰ）４３および病院側クライアント４４を設ける一方、センタ側４１にレポートサーバ４５を設けて構成され、サービスプロセッサ４３および病院側クライアント４４とレポートサーバ４５とはネットワーク４２により接続される。また、病院側４０には単一あるいは複数の画像診断装置１Ｃが設けられ、各画像診断装置１Ｃには、プロトコル変更履歴データを保存するプロトコル変更履歴データ記憶部１３が個別にあるいは共通に設けられる。
【０１２３】
病院側４０のサービスプロセッサ４３は、データ取得部４６およびデータ転送部４７を備え、病院側クライアント４４には、レポート作成要求部４８およびレポート表示部４９が設けられる。また、センタ側４１のレポートサーバ４５には、データ受付部５０、データ記録部５１、プロトコル変更履歴データベース５２、変更情報検知部５３、レポート作成トリガ受付部５４、タイマー５５およびレポート作成部５６とが設けられる。
【０１２４】
尚、複数の病院における単一あるいは複数の画像診断装置１Ｃにサービスプロセッサ４３を設け、各病院側４０に設けられる病院側クライアント４４および各サービスプロセッサ４３を共通のレポートサーバ４５と接続してもよい。
【０１２５】
病院側４０のデータ取得部４６は、プロトコル変更履歴データ記憶部１３からプロトコル変更履歴データを定期的あるいは図示しない入力装置からの指示により取得する機能と、取得したプロトコル変更履歴データをデータ転送部４７に与える機能とを有する。また、データ転送部４７は、データ取得部４６から受けたプロトコル変更履歴データを、ネットワーク４２を介してセンタ側４１のデータ受付部５０に転送する機能を有する。
【０１２６】
センタ側４１のデータ受付部５０は、データ転送部４７から転送されたプロトコル変更履歴データを受信する機能と、受信したプロトコル変更履歴データをデータ記録部５１に与える機能を有する。また、データ記録部５１は、データ受付部５０から受けたプロトコル変更履歴データをプロトコル変更履歴データベース５２に書き込む機能を有する。このため、プロトコル変更履歴データベース５２には、データ受付部５０により受信されたプロトコル変更履歴データが格納される。
【０１２７】
変更情報検知部５３は、レポート作成トリガ受付部５４からレポート作成トリガとして受けたレポートの作成指示に従って、プロトコル変更履歴データベース５２からレポートの作成に用いるべきプロトコル変更履歴データを読み込んでプロトコル変更情報を検知する機能と、作成したプロトコル変更情報をレポート作成部５６に与える機能を有する。プロトコル変更情報の検知条件については、図４に示す画像診断装置１Ａの場合と同様に動的かつ任意に設定することができる。
【０１２８】
レポート作成部５６は、変更情報検知部５３から受けたプロトコル変更情報を用いてレポートを作成する機能と、作成したレポートをネットワーク４２を介して病院側４０のレポート表示部４９に送信する機能とを有する。このため、レポート作成部５６には、必要に応じてレポートの作成に必要な演算や統計データの算出機能、他のデータを取得して付加する機能が備えられる。
【０１２９】
レポート作成トリガ受付部５４は、レポートの作成を指示するレポート作成トリガを病院側４０のレポート作成要求部４８からネットワーク４２を介して受信し、受信したレポート作成トリガを変更情報検知部５３に与える機能とを有する。また、必要に応じてタイマー５５が設けられ、レポート作成要求部４８からのレポート作成トリガの受信を待つことなく、一定の時間が経過した際に定期的に、または予め定められたタイミングでレポート作成トリガ受付部５４はレポート作成トリガを変更情報検知部５３に与えることができるように構成される。
【０１３０】
また、病院側４０のレポート作成要求部４８は、レポートの作成を指示するレポート作成トリガをセンタ側４１のレポート作成トリガ受付部５４にネットワーク４２を介して送信するユーザインターフェース３としての機能を有する。
【０１３１】
レポート表示部４９は、センタ側４１のレポート作成部５６からネットワーク４２を介して送信されたレポートを受信して表示させるユーザインターフェース３としての機能を有する。
【０１３２】
次にプロトコル変更履歴管理システム２Ｃの作用について説明する。
【０１３３】
図１２は、図１１に示すプロトコル変更履歴管理システム２Ｃによりプロトコル変更履歴データから検知したプロトコル変更情報を用いてレポートを作成し、プロトコルの変更箇所の報告を行う際の流れを示すフローチャートであり、図中Ｓに数字を付した符号はフローチャートの各ステップを示す。
【０１３４】
まず予め、各画像診断装置１Ｃのプロトコル変更履歴データが作成されてプロトコル変更履歴データ記憶部１３に保存される。
【０１３５】
そして、ステップＳ３１において、病院側４０のデータ取得部４６は、単一あるいは複数のプロトコル変更履歴データ記憶部１３から必要なプロトコル変更履歴データを定期的あるいは図示しない入力装置からの指示により取得し、取得したプロトコル変更履歴データをデータ転送部４７に与える。
【０１３６】
次に、ステップＳ３２において、データ転送部４７は、データ取得部４６から受けたプロトコル変更履歴データをネットワーク４２を介してセンタ側４１のデータ受付部５０に送信する。そして、データ転送部４７から転送されたプロトコル変更履歴データは、データ受付部５０により受信され、データ記録部５１に与えられる。
【０１３７】
次に、ステップＳ３３において、データ記録部５１は、データ受付部５０から受けたプロトコル変更履歴データをプロトコル変更履歴データベース５２に書き込む。このため、プロトコル変更履歴データベース５２には、病院側４０の各画像診断装置１Ｃから定期的に転送された各プロトコル変更履歴データが蓄積される。
【０１３８】
次に、ステップＳ３４において、病院側４０のレポート作成要求部４８からレポート作成トリガがレポート作成トリガ受付部５４にネットワーク４２を介して送信される。このため、レポート作成要求部４８から送信されたレポート作成トリガがレポート作成トリガ受付部５４により受信される。また、タイマー５５により定期的にあるいは、一定のタイミングでレポート作成トリガ受付部５４はレポート作成トリガを発生させる。そして、レポート作成トリガ受付部５４は、レポート作成トリガを変更情報検知部５３に与える。
【０１３９】
次に、ステップＳ３５において、変更情報検知部５３は、レポート作成トリガ受付部５４からレポート作成トリガとして受けたレポートの作成指示に従って、プロトコル変更履歴データベース５２からレポートの作成に用いるべきプロトコル変更履歴データを抽出し、抽出したプロトコル変更履歴データからプロトコル変更情報を作成してレポート作成部５６に与える。
【０１４０】
次に、ステップＳ３６において、レポート作成部５６は、変更情報検知部５３から受けたプロトコル変更情報を用いて予め指定されたフォームに合わせてレポートを作成する。
【０１４１】
図１３は、図１１に示すプロトコル変更履歴管理システム２Ｃにより作成されたレポートの一例を示す図である。
【０１４２】
例えば図１３に示すように、週ごとに変更されたプロトコルの一覧が表示形式で表示される。レポートには、パラメータが変更されたＰＡＳの名称、シーケンス名、パラメータ名、変更前の（Ｏｌｄ）データ値、変更後の（Ｎｅｗ）データ値、変更日時、変更したユーザの氏名やユーザＩＤ等の識別情報等の情報が示される。
【０１４３】
また、変更されたプロトコルの一覧のみならず、パラメータの変更がなかった週については、パラメータの変更があったプロトコルがない旨の情報（ｎｏｎｅ）が示される。
【０１４４】
図１４は、図１１に示すプロトコル変更履歴管理システム２Ｃにより作成されたレポートの別の一例を示す図である。
【０１４５】
例えば図１４に示すように、プロトコル変更情報を用いて所定の統計データを取得し、検査記録データを付加することにより変更後のプロトコル（ＰＡＳ）を用いた検査の履歴をレポートとして作成することもできる。すなわち、図１４の上の欄では、ＰＡＳ名で示された各プロトコルについて、パラメータを変更せずに使用した回数と、パラメータを変更して使用した回数の一覧が表示されている。
【０１４６】
また、図１４の下の欄には、パラメータを変更して使用した各プロトコル（ＰＡＳ）を用いた検査の検査日時（Ｄａｔｅ，Ｓｔａｒｔ  ｔｉｍｅ）、検査の識別情報（Ｓｔｕｄｙ  ＩＤ）、検査領域（Ｂｏｄｙ  Ｒｅｇｉｏｎ）、ＰＡＳ名（ＰＡＳ  Ｎａｍｅ）、検査時間（Ｅｘａｍ  Ｔｉｍｅ）およびスキャンの識別情報（Ｓｃａｎ＃）が一覧として示されている。
【０１４７】
このように、レポート作成部５６において所望の情報を付加し、所望のレポートが作成されるように演算を行うことができる。
【０１４８】
次に、ステップＳ３７において、レポート作成部５６は、作成したレポートをネットワーク４２を介して病院側４０のレポート表示部４９に送信する。
【０１４９】
次に、ステップＳ３８において、レポート表示部４９は、センタ側４１のレポート作成部５６からネットワーク４２を介して送信されたレポートを受信して表示させる。この結果、ユーザは病院側クライアント４４によりレポートを確認し、プロトコルの変更履歴やプロトコルの変更履歴に基づく所望の総括的な情報を得ることができる。
【０１５０】
このため、以上のようなプロトコル変更履歴管理システム２Ｃによれば、図１に示す画像診断装置１Ｃにより保存されたプロトコル変更履歴データを利用してプロトコル変更情報を検知し、所望のフォームのプロトコル変更情報のレポートを作成して表示させることができる。このため、ユーザは作成されたレポートを参照し、プロトコルの変更履歴の管理を容易に行うことが可能となる。
【０１５１】
尚、以上のような各実施形態における画像診断装置１、１Ａ、１Ｂ、１Ｃおよびプロトコル変更履歴管理システム２、２Ａ、２Ｂ、２Ｃを組み合わせて構成することができる。また、逆に、画像診断装置１、１Ａ、１Ｂ、１Ｃおよびプロトコル変更履歴管理システム２、２Ａ、２Ｂ、２Ｃの一部の機能を省略することもできる。例えば、ユーザの認証やユーザＩＤの取得を省略し、パラメータを変更したユーザの識別情報をプロトコル変更履歴データに含めなくてもよい。
【０１５２】
また、画像診断装置１、１Ａ、１Ｂ、１Ｃの構成要素をプロトコル変更履歴管理システム２、２Ａ、２Ｂ、２Ｃの構成要素としたり、逆に、プロトコル変更履歴管理システム２、２Ａ、２Ｂ、２Ｃの構成要素を画像診断装置１、１Ａ、１Ｂ、１Ｃの構成要素としてもよい。
【図面の簡単な説明】
【０１５３】
【図１】本発明に係る画像診断装置の第１の実施形態を示す機能ブロック図。
【図２】図１に示す画像診断装置によりプロトコル変更履歴を保存する際の流れを示すフローチャート。
【図３】図１に示す画像診断装置のプロトコル変更履歴データ記憶部に保存されるプロトコル変更履歴データの一例を示す図。
【図４】本発明に係る画像診断装置の第２の実施形態を示す機能ブロック図。
【図５】図４に示す画像診断装置によりプロトコル変更履歴データ記憶部に保存されたプロトコル変更履歴データに基づいて、変更された特定のパラメータをプロトコル変更情報として表示させる際の流れを示すフローチャート。
【図６】図４に示す画像診断装置のプロトコル利用日記憶部に記録されたプロトコル利用日情報の一例を示す図。
【図７】図４に示す画像診断装置の変更情報表示部に表示されるプロトコル変更情報の一例を示す図。
【図８】本発明に係る画像診断装置の第３の実施形態を示す機能ブロック図。
【図９】図８に示す画像診断装置によりプロトコル変更履歴データ記憶部に保存されたプロトコル変更履歴データに基づいて、変更されたパラメータを変更前のパラメータに戻す際の流れを示すフローチャート。
【図１０】図８に示す画像診断装置の復元パラメータ選択部に表示された復元可能なプロトコルのパラメータの一例を示す図。
【図１１】本発明に係る医用システムの一例であるプロトコル変更履歴管理システムの実施の形態を示す機能ブロック図。
【図１２】図１１に示すプロトコル変更履歴管理システムによりプロトコル変更履歴データから検知したプロトコル変更情報を用いてレポートを作成し、プロトコルの変更箇所の報告を行う際の流れを示すフローチャート。
【図１３】図１１に示すプロトコル変更履歴管理システムにより作成されたレポートの一例を示す図。
【図１４】図１１に示すプロトコル変更履歴管理システムにより作成されたレポートの別の一例を示す図。
【符号の説明】
【０１５４】
１、１Ａ、１Ｂ、１Ｃ  画像診断装置
２、２Ａ、２Ｂ、２Ｃ  プロトコル変更履歴管理システム
３  ユーザインターフェース
４  プロトコルデータ記憶部
５  ユーザＩＤ入力部
６  ユーザＩＤ認知部
７  プロトコル選択部
８  プロトコルパラメータ抽出部
９  プロトコルパラメータ表示部
１０  プロトコルパラメータ変更情報入力部
１１  プロトコルパラメータ記録部
１２  日時データ管理部
１３  プロトコル変更履歴データ記憶部
１４  プロトコルパラメータ変更履歴記録部
１５  プロトコルパラメータ保持部
２０  プロトコル種別確認部
２１  プロトコル利用日記憶部
２２  変更情報表示要求部
２３  プロトコル変更情報検知部
２４  変更情報表示部
３０  変更前パラメータ表示要求部
３１  復元パラメータ変更履歴抽出部
３２  復元パラメータ選択部
４０  病院側
４１  センタ側
４２  ネットワーク
４３  サービスプロセッサ（ＳＰ）
４４  病院側クライアント
４５  レポートサーバ
４６  データ取得部
４７  データ転送部
４８  レポート作成要求部
４９  レポート表示部
５０  データ受付部
５１  データ記録部
５２  プロトコル変更履歴データベース
５３  変更情報検知部
５４  レポート作成トリガ受付部
５５  タイマー
５６  レポート作成部
【図１】
2006231040.tif 000003
【図２】
2006231040.tif 000004
【図３】
2006231040.tif 000005
【図４】
2006231040.tif 000006
【図５】
2006231040.tif 000007
【図６】
2006231040.tif 000008
【図７】
2006231040.tif 000009
【図８】
2006231040.tif 000010
【図９】
2006231040.tif 000011
【図１０】
2006231040.tif 000012
【図１１】
2006231040.tif 000013
【図１２】
2006231040.tif 000014
【図１３】
2006231040.tif 000015
【図１４】
2006231040.tif 000016